(57)【要約】【課題】回数券機能を有する非接触券を処理できる非接触券処理機（非接触式自動改札機）を提供する。【解決手段】非接触券に記録されているデータを読取る読取手段と、読取られたデータ中から回数券に係るデータを抽出する抽出手段と、抽出された回数券の金額と今回減額する金額とを照合する照合手段と、照合一致が得られたときに前記非接触券を回数券として処理し、照合不一致のときにその非接触券をＳＦカードとして処理する処理制御手段とを有する。【選択図】      図３
2005031939.tif 000002
【特許請求の範囲】
【請求項１】
非接触式自動改札機で使用される無線通信機能を備えたＩＣカードからなる非接触券であって、
前記非接触券の本体のメモリに、回数券に係る所定のデータを記憶する回数券データ記憶部を設けたことを特徴とする非接触券。
【請求項２】
非接触券に記録されているデータを読取る読取手段と、
読取られたデータ中から回数券に係るデータを抽出する抽出手段と、
抽出された回数券の金額と今回減額する金額とを照合する照合手段と、
照合一致が得られたときに前記非接触券を回数券として処理し、照合不一致のときにその非接触券をＳＦカードとして処理する処理制御手段と、
を有することを特徴とする非接触券処理機。
【請求項３】
非接触券に記録されているデータを読取る読取手段と、
読取られたデータ中から回数券に係るデータを抽出する抽出手段と、
抽出された回数券の乗車区間と今回の乗車区間とを照合する照合手段と、
照合一致が得られたときに前記非接触券を回数券として処理し、照合不一致のときにその非接触券をＳＦカードとして処理する処理制御手段と、
を有することを特徴とする非接触券処理機。
【請求項４】
請求項２又は３に記載の非接触券処理機において、その非接触券処理機の本体は、非接触式自動改札機の本体、自動券売機の本体又は自動精算機の本体であることを特徴とする非接触券処理機。
【発明の詳細な説明】
【０００１】
【発明の属する技術分野】
本発明は、非接触式自動改札機で使用される非接触券、及びその非接触券を処理することのできる非接触式自動改札機や自動券売機等の非接触券処理機に関する。
【０００２】
【従来の技術】
近年、首都圏を中心とした鉄道においては、利用者（旅客）の利便向上を図るために、乗車券を無線通信機能を備えたＩＣカードからなる非接触券とし、改札口にこの非接触券を処理することのできる非接触式自動改札機が設置されるようになってきている。
【０００３】
改札口に設置される非接触式自動改札機は、利用者によって非接触券が非接触式自動改札機の本体に設けられているアンテナに軽くタッチ又はそのアンテナにかざされると（以下、タッチで説明する。）、非接触券と非接触式自動改札機の本体との間でデータ授受が行われるように構成されている。そして、非接触式自動改札機の本体では、非接触券から得られた定期券データやＳＦカードデータ（残額データ）等のカードデータに基づいて入出場（入場又は出場を意味している。）のための所定の演算処理が行われ、その演算処理の結果、入出場を許可できるときは、ドアが開かれて（非接触式自動改札機の本体がノーマルオープン型のときはそのまま）、改札通路の通過が許可され、その演算処理の結果、入出場を許可できないときは、ドアが閉じられて改札通路の通過が阻止されるように構成されている（特許文献１参照。）。
【０００４】
【特許文献１】特開２００３−９９８１７号公報
【０００５】
【発明が解決しようとする課題】
ところで、上記非接触券は、非接触券の本体のメモリ内に定期券データ及びＳＦデータ（金額データ）が記憶されているので、非接触券を定期券として使用することができるとともに、その定期券の乗車区間外では、ＳＦデータを普通乗車券と同様に用いて乗車できるという特長を有しているが、その非接触券を割引運賃の特典を受けることのできる回数券として使用することができないという欠点があった。
【０００６】
そこで、本発明は、上記欠点を解決するためになされたものであって、その目的は、回数券として使用できる非接触券を提供するとともに、その非接触券を処理することのできる非接触券処理機を提供することにある。
【０００７】
【課題を解決するための手段】
本発明に係る非接触券は、上記目的を達成するために、請求項１に記載の発明は、非接触式自動改札機で使用される無線通信機能を備えたＩＣカードからなる非接触券であって、前記非接触券の本体のメモリに、回数券に係る所定のデータを記憶する回数券データ記憶部を設けたことを特徴としている。
本発明に係る非接触券処理機は、上記目的を達成するために、請求項２に記載の発明は、非接触券に記録されているデータを読取る読取手段と、読取られたデータ中から回数券に係るデータを抽出する抽出手段と、抽出された回数券の金額と今回減額する金額とを照合する照合手段と、照合一致が得られたときに前記非接触券を回数券として処理し、照合不一致のときにその非接触券をＳＦカードとして処理する処理制御手段と、を有することを特徴としている。
本発明の請求項３に記載の非接触券処理機は、非接触券に記録されているデータを読取る読取手段と、読取られたデータ中から回数券に係るデータを抽出する抽出手段と、抽出された回数券の乗車区間と今回の乗車区間とを照合する照合手段と、照合一致が得られたときに前記非接触券を回数券として処理し、照合不一致のときにその非接触券をＳＦカードとして処理する処理制御手段と、を有することを特徴としている。
本発明の請求項４に記載の非接触券処理機は、その非接触券処理機の本体は、非接触式自動改札機の本体、自動券売機の本体又は自動精算機の本体であることを特徴としている。
【０００８】
【発明の実施の形態】
以下、本発明の実施の形態を図面に基づいて説明する。図１は、本発明に係る非接触券処理機を非接触式自動改札機としたときのその非接触式自動改札機の本体（以下、「改札機本体」という。）Ｇを構成する一対の筐体のうちの一方の筐体Ｈの斜視図である。この筐体Ｈの上面には、非接触券の本体（非接触券の本体を含めて非接触券として説明する。）Ｃと交信するためのアンテナａが設けられている。
【０００９】
筐体Ｈの改札通路Ｐの入口側には、改札機本体Ｇの使用状態、つまり改札通路Ｐを通過できるか否かを利用者に報知するための表示部１が設けられている。また、図１中、Ｓ，Ｓ…は、改札通路Ｐへの利用者の進入、又はその改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボック２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１０】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１  ，Ｄ２  がそれぞれ設けられている。また、筐体Ｈの上面のほぼ中央部には、利用者に対して文字により所定の案内を行うための表示画面４が取付けられている。
【００１１】
図１中、５は、改札機本体Ｇの動作を司どる制御器であり、マイクロコンピュータを中心に構成されている。そして、この制御器５には、非接触券Ｃとの間でデータの授受を行うための上述のアンテナａを接続したリーダライタＲ（後述の図２参照）が接続されている。
【００１２】
図２は、制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１  ，Ｄ２  を駆動制御するドア駆動ユニット２４と、スピーカ３を駆動制御する音声駆動ユニット２５と、人間検知器Ｓ，Ｓ…、Ｓ′，Ｓ′…の検知信号を入力するための人間検知器ユニット２６とが接続されている。なお、Ｉ／Ｏユニット２３には、表示画面４を駆動する表示画面駆動ユニット等も接続されているが、ここでは省略されている。
【００１３】
リーダライタＲには、非接触券Ｃと交信を行うためのアンテナａが接続されている。このアンテナａは、非接触券Ｃとデータ授受を行う機能と、非接触券Ｃに電力を供給する機能とが備えられている。
【００１４】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記憶されているメモリ３３と、改札機本体Ｇからの電力波をアンテナＡを介して受信し、非接触券Ｃの駆動電力を生成する電力生成回路３４とを有している。上記メモリ３３には、非接触券Ｃの識別情報（ＩＤ番号）が記憶されている以外に、そのメモリ３３の定期券データ記憶部ｍ１  には、非接触券Ｃが定期券として使用されるための乗車区間や有効期間等の所定の定期券データが記憶され、ＳＦデータ記憶部ｍ２  には、非接触券Ｃが定期券の乗車区間外（定期券データが有効期間切れ等により無効券のときは、定期券の乗車区間内も含む。）で使用されたときに、乗車運賃を減額処理する普通乗車券の機能を有するＳＦデータ（金額データ）が記憶されている。
【００１５】
メモリ３３の回数券データ記憶部ｍ３  は、非接触券Ｃが回数券として使用されるための所定の回数券データが記憶されている。この所定の回数券データは、非接触券Ｃを新たに購入するときに利用者の申出により、又は、非接触券Ｃを自動券売機等に組込まれている金額積増機を用いて更新処理（積増処理）するときに記憶される。
【００１６】
回数券データ記憶部ｍ３  に記憶される回数券データとしては、利用者が、例えば、１６０円の乗車区間の回数券を希望するときは、自社線内を１６００円で１６０円の乗車区間を１１回乗車できる旨の回数券データが記憶される。また、利用者が一定の乗車区間（例えば、甲駅から乙駅）の回数券を希望するときは、その一定の乗車区間の１０回分の金額の金銭の支払いを条件に、その一定の乗車区間を１１回乗車できる旨の回数券データが記憶される。さらに、鉄道会社の回数券の運用に合わせて、例えば、土日回数券の場合のように、通常の回数券よりも割引率を大きくできるようにすることも可能であり、この場合は、回数券データに使用日時（曜日）データが付加される。いずれの種類の回数券の場合も、周知の回数券と同様に所定の有効期間が存在するので、その有効期間のデータも付加される。
【００１７】
以下、金額式の回数券データの記憶されている非接触券Ｃが改札機本体Ｇで使用されたときの制御動作を図３のフローチャート及び図４の説明図を用いて説明する。今、利用者が改札機本体Ｇを介して出場しようとして非接触券Ｃがアンテナａにタッチされ、非接触券Ｃと改札機本体Ｇとの間で交信が行われたとする（ステップ１００肯定。以下、ステップを「Ｓ」とする。）。
【００１８】
非接触券Ｃと改札機本体Ｇとの間で交信が行われると、非接触券Ｃのメモリ３３に記憶されているデータ（カードデータ）が改札機本体Ｇ（制御器５）により読取られ、その読取られたデータを基にＣＰＵ２０により所定の演算処理が行われて非接触券Ｃの有効性が判定される（Ｓ１０２）。この演算処理の結果、非接触券Ｃで出場を許可できないと判定されたとき、例えば、改札機本体Ｇの設置駅が定期券の乗車区間外であり、さらに、ＳＦデータも出場するためには不足するようなときは（Ｓ１０４否定）、ドアＤ１  が閉じられてスピーカ３及び表示画面４を介して精算処理等の所定の案内が行われる。
【００１９】
非接触券Ｃが有効券と判定され（Ｓ１０４肯定）、しかも、その非接触券Ｃに回数券データが含まれているときは（Ｓ１０６肯定）、今回の乗車が回数券データ記憶部ｍ３  に記憶されている回数券データを用いた出場処理が可能か否かの判定が行われる。すなわち、今回の乗車の運賃が回数券データ記憶部ｍ３  に記憶されている金額データを越える場合、出場処理はその回数券データを用いて行われる（Ｓ１０８）。
【００２０】
例えば、非接触券Ｃに記憶されている金額式回数券の金額が図４に示されるような１６０円の場合、今回の乗車区間の運賃も１６０円の場合は、回数券を用いた乗車と判定され、回数券データ記憶部ｍ３  に記憶されている残額から１６０円減額される。この回数券としての使用は、所定期間内に１６０円で１１回分の金額利用が可能である。また、回数券残額が最低運賃以下の場合には、例えば、回数券の残額が１００円の場合は、ＳＦデータ記憶部ｍ２  に記憶されている６０円を用いて１６０円の運賃が利用可能とされる。回数券データ記憶部ｍ３  の残額が０になると、非接触券Ｃは、次回から回数券として使用できなくなるので、図示しない自動券売機等に組込まれている積増機を用いて回数券データ記憶部ｍ３  への積増処理が行われる。
【００２１】
今回の乗車区間の運賃が回数券データ記憶部ｍ３  に記憶されている金額データと異なるときでも、例えば、１８０円の運賃の場合は、回数券データ記憶部ｍ３  に記憶されている回数券データを用いた出場処理が行われる。このため、非接触券Ｃの回数券データ記憶部ｍ３  に１６００円の金額が記憶されているときは、その１６００円から今回の運賃の１８０円が減額され、１４２０円の新たな残額がその回数券データ記憶部ｍ３  に記憶される（図４参照）。したがって、本発明で照合一致というときは、このように回数券の金額以上の運賃の場合も含んでいる。
【００２２】
なお、上述の例では、回数券データ記憶部ｍ３  に記憶される回数券データを金額式としたが、乗車区間式の回数券データが記憶されているときは、回数券データ記憶部ｍ３  に記憶されている乗車区間と一致した乗車区間を乗車する毎に回数券の残額が利用金額ずつ減算される。
【００２３】
また、上述の例では、非接触券処理機として非接触式自動改札機の例を示したが、非接触券Ｃを処理することのできる自動券売機や自動精算機（乗継精算機を含む。）とすることができる。自動券売機の場合は、非接触券Ｃの回数券データを用いて回数券の金額と等しい乗車券を購入でき、また、自動精算機の場合は、回数券の金額と等しい乗越しを行ったときに、その回数券データを用いて精算処理を行うことができる。
【００２４】
【発明の効果】
本発明の請求項１に記載の非接触券は、非接触券のメモリに、回数券に係る所定のデータを記憶する回数券データ記憶部を設けたので、非接触券を回数券としても使用することができる。
本発明の請求項２に記載の非接触券処理機は、非接触券に記録されているデータを読取る読取手段と、読取られたデータ中から回数券に係るデータを抽出する抽出手段と、抽出された回数券の金額と今回減額する金額とを照合する照合手段と、照合一致が得られたときに前記非接触券を回数券として処理し、照合不一致のときにその非接触券をＳＦカードとして処理する処理制御手段とを有するので、回数券機能を有する非接触券を効率よく処理することができる。
本発明の請求項３に記載の非接触券処理機は、非接触券に記録されているデータを読取る読取手段と、読取られたデータ中から回数券に係るデータを抽出する抽出手段と、抽出された回数券の乗車区間と今回の乗車区間とを照合する照合手段と、照合一致が得られたときに前記非接触券を回数券として処理し、照合不一致のときにその非接触券をＳＦカードとして処理する処理制御手段とを有するので、回数券機能を有する非接触券を効率よく処理することができる。
本発明の請求項４に記載の非接触券処理機は、その非接触券処理機の本体を改札機本体、自動券売機の本体又は自動精算機の本体としたので、非接触券を処理できる駅務機器で効率よく回数券処理を行うことができる。
【図面の簡単な説明】
【図１】本発明の一実施の形態に係る非接触券処理機を非接触式自動改札機としたときのその改札機本体を構成する一対の筐体のうちの一方の筐体の斜視図である。
【図２】制御器及び非接触券のブロック図である。
【図３】制御動作を示すフローチャートである。
【図４】制御動作を示す説明図である。
【符号の説明】
Ｇ  非接触式自動改札機の本体（改札機本体）
Ｈ  筐体
Ｄ１  ，Ｄ２    ドア
Ｐ  改札通路
Ｓ，Ｓ′  人間検知器
ａ  アンテナ
５  制御器
２  センサ取付ボックス
３  スピーカ
４  表示画面
Ｃ  非接触券（非接触券の本体）
ｍ１    定期券データ記憶部
ｍ２    ＳＦデータ記憶部
ｍ３    回数券データ記憶部
【図１】
2005031939.tif 000003
【図２】
2005031939.tif 000004
【図３】
2005031939.tif 000005
【図４】
2005031939.tif 000006